(57)【要約】      （修正有）【課題】アンカーボルトの突出高さや基礎コンクリート中へのアンカーボルトの埋め込み深さを容易に調整できる基礎コンクリートの施工方法を提供する。【解決手段】複数本のアンカーボルト２を所定位置に突出させた基礎コンクリートを施工する方法であって、複数本のアンカーボルトを所定位置に取り付けたテンプレート１を、基礎面４の上方において所定の高さに配置し、型枠３内にコンクリート６を打設してアンカーボルトの下部をコンクリート内に埋め込み、コンクリートが固化した後、テンプレートと型枠を除去する。基礎コンクリートを施工する際にアンカーボルトの突出高さや埋め込み深さを容易に調整でき、また、施工する際に使用したテンプレートなどは再利用でき、資源を節約でき経済的である。【選択図】図５
2015218503.tif 000002
【特許請求の範囲】
【請求項１】
複数本のアンカーボルトを所定位置に突出させた基礎コンクリートを施工する方法であって、
複数本のアンカーボルトを所定位置に取り付けたテンプレートを、基礎面の上方において所定の高さに配置し、型枠内にコンクリートを打設してアンカーボルトの下部をコンクリート内に埋め込み、
コンクリートが固化した後、前記テンプレートと型枠を除去することを特徴とする、基礎コンクリートの施工方法。
【請求項２】
前記テンプレートの所定位置に設けられたボルト挿通孔にネジ棒を通して、ネジ棒をナットでテンプレートに取り付けることにより、前記テンプレートに対してネジ棒の高さを変更できるように構成し、
ネジ棒の下端に高ナットを介してアンカーボルトを取り付けることを特徴とする、請求項１に記載の基礎コンクリートの施工方法。
【請求項３】
型枠に支持部材を取り付け、支持部材にテンプレートを支持することを特徴とする、請求項１または２に記載の基礎コンクリートの施工方法。
【発明の詳細な説明】
【技術分野】
【０００１】
本発明は、機器を固定するアンカーボルトを所定位置に突出させた基礎コンクリートの施工方法に関する。
【背景技術】
【０００２】
例えば冷凍機、冷却塔などの大型重量機器やビル用エアコン室外機や水槽類、動力盤などの機器・装置は一般的には基礎コンクリートの上に据え付けられる。またこれらの機器を据え付けて固定するために、基礎コンクリートの所定位置にはアンカーボルトが突出させられている。かかるアンカーボルトとしては、埋め込みアンカー、箱抜きアンカー、メカニカルアンカー、樹脂アンカーなどの種類があり、荷重条件により適切な種類が選択される。また引き抜き荷重が大きい場合は、インサート金物をコンクリート打設時に埋め込む方式もある。
【０００３】
従来、基礎コンクリートの施工に関し、本出願人は特許文献１の機械基礎を開示している。この機械基礎は、各種の機器を載せるための受け板に設けた穴に、コンクリートに固定されたアンカーボルトを通してナットで固定するものである。また特許文献２には、床スラブに打ち込まれた基礎ボルトに柔らかい位置調節部材を取り付けてからコンクリートを打設する方法が開示されている。
【先行技術文献】
【特許文献】
【０００４】
【特許文献１】特許第３８９５０２３号公報
【特許文献２】特開２００２−３８４９２号公報
【発明の概要】
【発明が解決しようとする課題】
【０００５】
しかしながら、上記特許文献１、２に開示された発明はいずれもアンカーボルトを基礎面に直接支持した状態でコンクリートを打設しており、基礎コンクリートの上面からのアンカーボルトの突出高さや基礎コンクリート中へのアンカーボルトの埋め込み深さは調整することができない。アンカーボルトが基礎コンクリートから必要以上に突出していると、見栄えが良くないばかりか危険であり、さらに機器を設置する際、機器側のアンカーボルト挿通孔を基礎に固定されたアンカーボルトに挿通してセットしづらいなどの不具合が生じる。また、予め長めのアンカーボルトを使用して、必要以上に突出した部分をコンクリート打設後に切断することも考えられるが、アンカーボルトが太い場合には作業が困難である。
【０００６】
本発明は、アンカーボルトの突出高さや基礎コンクリート中へのアンカーボルトの埋め込み深さを容易に必要なだけの高さ（深さ）に調整できる基礎コンクリートの施工方法を提供することを目的とする。
【課題を解決するための手段】
【０００７】
かかる目的を達成するために、本発明によれば、複数本のアンカーボルトを所定位置に突出させた基礎コンクリートを施工する方法であって、複数本のアンカーボルトを所定位置に取り付けたテンプレートを、基礎面の上方において所定の高さに配置し、型枠内にコンクリートを打設してアンカーボルトの下部をコンクリート内に埋め込み、コンクリートが固化した後、前記テンプレートと型枠を除去することを特徴とする、基礎コンクリートの施工方法が提供される。
【０００８】
本発明の基礎コンクリートの施工方法にあっては、アンカーボルトを基礎面に支持するのではなく、アンカーボルトを所定位置に取り付けたテンプレートを基礎面の上方に配置した状態で、型枠内にコンクリートを打設しているので、アンカーボルトの取り付け高さを変更することによって、その突出高さや基礎コンクリート中への埋め込み深さを容易に調整することが可能となる。
【０００９】
アンカーボルトの突出高さや埋め込み深さの調整は、例えば基礎面の上方に配置されるテンプレートの高さを変えることによって行うこともできるが、前記テンプレートの所定位置に設けられたボルト挿通孔にネジ棒を通して、ネジ棒をナットでテンプレートに取り付けることにより、前記テンプレートに対してネジ棒の高さを変更できるように構成し、ネジ棒の下端に高ナットを介してアンカーボルトを取り付けるようにしても良い。また、型枠に支持部材を取り付け、支持部材にテンプレートを支持するようにしても良い。
【発明の効果】
【００１０】
本発明によれば、基礎コンクリートを施工する際にアンカーボルトの突出高さや埋め込み深さを容易に調整できるようになる。また、施工する際に使用したテンプレートや支持部材などは再利用でき、資源を節約でき経済的である。
【図面の簡単な説明】
【００１１】
【図１】本発明の実施の形態にかかる基礎コンクリートの施工方法に用いられるテンプレートの平面図である。
【図２】図１中のＡ−Ａ断面図である。
【図３】型枠の説明図である。
【図４】本発明の実施の形態にかかる施工方法の説明図であり、テンプレートを基礎面の上方に配置した状態を示す。
【図５】本発明の実施の形態にかかる施工方法の説明図であり、型枠内にコンクリートを打設した状態を示す。
【図６】本発明の実施の形態にかかる施工方法によって出来上がった基礎コンクリートの側面図である。
【発明を実施するための形態】
【００１２】
本発明の実施の形態にかかる基礎コンクリートの施工方法を図面を参照にして説明する。なお、一例として４本のアンカーボルトを各隅角部に突出させた長方形の基礎コンクリート７を施工する場合を説明する。また、本明細書及び図面において、実質的に同一の機能構成を有する構成要素については、同一の符号を付することにより重複説明を省略する。
【００１３】
図１に示すように、この施工方法に用いられるテンプレート１は、例えばアングルなどの鋼材からなる一対のテンプレート部材１０、１０同士が互いに平行となるように、２本の補強部材１１、１１で連結した構成である。それぞれ同じ長さで形成した補強部材１１、１１をいずれもテンプレート部材１０、１０と直交して取付けることで、テンプレート部材１０、１０同士を平行となるようにしている。これら２本の補強部材１１、１１もアングルなどの鋼材からなり、テンプレート部材１０、１０と補強部材１１、１１を格子状に配置して、互いに溶接することによってテンプレート１が構成されている。
【００１４】
テンプレート１は、複数のアンカーボルト２同士を所定の相対位置に固定する部材であり、テンプレート１の四隅（テンプレート部材１０、１０の両端）には、ボルト挿通孔１２がそれぞれ設けられている。図２に示すように、各ボルト挿通孔１２には、ネジ棒１３が通されており、各ネジ棒１３は、テンプレート部材１０を上下から挟むように取り付けられた２つのナット１４、１４によって、テンプレート１の四隅（テンプレート部材１０、１０の両端）に取り付けられている。各ネジ棒１３に対する２つのナット１４、１４の取り付け位置を変更することによって、テンプレート１（テンプレート部材１０）に対するネジ棒１３の高さを任意に変更できるように構成されている。
【００１５】
このようにテンプレート１の四隅に取り付けられた各ネジ棒１３の下端には高ナット２０がそれぞれ装着されている。また、各高ナット２０の下方には、アンカーボルト２の上端がねじ込まれてそれぞれ取り付けられている。上述のように各ネジ棒１３をテンプレート部材１０に取り付けている２つのナット１４、１４の取り付け位置（高さ）を変更することによって、テンプレート１（テンプレート部材１０）に対するネジ棒１３の高さが変更され、これにより、テンプレート１（テンプレート部材１０）に対する各アンカーボルト２の高さを任意に変更することができる。
【００１６】
各アンカーボルト２の下端には、コンクリート打設後の抜け防止用としてナット２１およびワッシャー２２がそれぞれ取付けられている。なお、抜け防止として、このようなナット２１、ワッシャー２２を用いずに、アンカーボルト２としてJ型ボルトやＬ型ボルトを用いてもよい。
【００１７】
図３に示すように、型枠３は基礎コンクリート７の周りを囲むためのものであり、例えば木材などを長方形に組んだ形状である。また、型枠３の内部には基礎コンクリート７を補強するための配筋２５が配置されている。
【００１８】
本発明の実施の形態にかかる基礎コンクリートの施工方法にあっては、先ず図４に示すように、これから基礎コンクリート７を施工する床スラブなどの基礎面４上に配筋２５を設置し、その周囲に型枠３を設置する。また、予め各アンカーボルト２を所定位置に取り付けたテンプレート１を、型枠３の上方において所定の高さに配置する。
【００１９】
なお、テンプレート１を基礎面４の上方に配置する場合、図４に示すように、型枠３に適当な支持部材５を取り付け、この支持部材５にテンプレート１を載せて支持することが望ましい。支持部材５は、例えば穴あきアングルなどの鋼材からなる支柱部材３０を型枠３の両外側面にビス止めし、同様な穴あきアングルなどの鋼材からなる梁部材３１を支柱部材３０の適当な高さにボルト、ナット等で水平に固定した構成とすることができる。そして、水平に固定した梁部材３１の上にテンプレート１を載せることによって、型枠３の上方にテンプレート１を支持することができる。なお、支持部材５に載せたテンプレート１の位置ずれを防ぐために、テンプレート１のテンプレート部材１０に穴をあけておき、テンプレート１のテンプレート部材１０と支持部材５の梁部材３１とをネジ止めするようにしても良い。
【００２０】
また、このようにテンプレート１を型枠３の上方に配置する際には、テンプレート１に取り付けられた各アンカーボルト２が所望の高さとなるようにする。各アンカーボルト２の高さは、施工後における基礎コンクリート７の上面からのアンカーボルト２の突出高さが所定高さとなり、また、基礎コンクリート７中におけるアンカーボルト２の埋込み深さが所定以上となるように設定すれば良い。各アンカーボルト２の突出高さについては、機器設置の際に固定用のナットをアンカーボルト２に確実に螺着でき、且つナットからアンカーボルト２が突出しすぎない程度に設定する。また、各アンカーボルト２を所望の高さにするためには、テンプレート１自体の高さを変えても良いし、あるいは、テンプレート１に取り付けられている各ネジ棒１３の高さを変えても良い。
【００２１】
テンプレート１自体の高さを変える場合、支持部材５において、支柱部材３０に対する梁部材３１の固定位置を調整することによって、梁部材３１の上に載せられるテンプレート１の高さを変更することができる。支柱部材３０や梁部材３１が穴あきアングルであれば、それらの取り付け孔の位置を変更することによって、テンプレート１の高さを任意に設定することが可能である。
【００２２】
またテンプレート１に取り付けられている各ネジ棒１３の高さを変える場合、上述のように各ネジ棒１３をテンプレート部材１０に取り付けている２つのナット１４、１４の取り付け位置（高さ）を変更することによって、テンプレート１（テンプレート部材１０）に対するネジ棒１３の高さを変え、これにより、テンプレート１（テンプレート部材１０）に対する各アンカーボルト２の高さを任意に設定することが可能である。
【００２３】
こうして型枠３の内部に各アンカーボルト２の下部を挿入した状態で、各アンカーボルト２の位置と高さを所望のものとした状態で、図５に示すように、型枠３内にコンクリート６を打設して各アンカーボルト２の下部をコンクリート６内に埋め込む。コンクリート６を打設する際には、アンカーボルト２の上部にコンクリート６が付着しないように、アンカーボルト２の上部を予め養生しておくと良い。そして、そのままの状態でコンクリート６を固化させる。そして、コンクリート６が固化した後、テンプレート１と型枠３を除去する。なお、高ナット２０はテンプレート１の取り外しを容易にするための部材であり、各アンカーボルト２の上端から高ナット２０を取り外せば、テンプレート１と型枠３を容易に除去することができる。
【００２４】
こうして、図６に示すように、上面から所望の長さでアンカーボルト２の上部を突出させた状態の基礎コンクリート７を施工することが可能となる。この施工方法によれば、アンカーボルト２を基礎コンクリート７内に所定の埋め込み深さ以上とし、かつ、アンカーボルト２の突出高さが所定高さとななった基礎コンクリート７を容易に施工することができる。また、取り外したテンプレート１や型枠３、支持部材５などは再利用することが可能である。このため資源を節約でき、経済的である。
【００２５】
以上、本発明の実施の形態の一例を説明したが、本発明は例示した形態に限定されない。一例として４本のアンカーボルト２を各隅角部に突出させた長方形の基礎コンクリート７を施工する場合を説明したが、アンカーボルト２の本数や配置、基礎コンクリート７の形状は任意である。またテンプレート１はアングルの他、チャネル、Ｈ鋼、パイプ、棒鋼などの鋼材でも作ることができるし、歪みなどが発生しなければ鋼材以外のプラスチック、樹脂などの材料で構成しても良い。また、テンプレート１をプレート状の板で構成しても良いが、コンクリート打設作業の邪魔にならないように線状部材で形成することが望ましい。また、支持部材５も穴あきアングルの他、アングル、チャネル、Ｈ鋼、パイプ、棒鋼などの鋼材でも作ることができるし、鋼材以外の木材、プラスチック、樹脂などの材料で構成しても良い。
【産業上の利用可能性】
【００２６】
本発明は、機器を設置するための基礎コンクリートの施工に有用である。
【符号の説明】
【００２７】
１  テンプレート
２  アンカーボルト
３  型枠
４  基礎面
５  支持部材
６  コンクリート
７  基礎コンクリート
１０  テンプレート部材
１１  補強部材
１２  ボルト挿通孔
１３  ネジ棒
１４  ナット
２０  高ナット
２１  ナット
２２  ワッシャー
２５  配筋
３０  支柱部材
３１  梁部材
【図１】
2015218503.tif 000003
【図２】
2015218503.tif 000004
【図３】
2015218503.tif 000005
【図４】
2015218503.tif 000006
【図５】
2015218503.tif 000007
【図６】
2015218503.tif 000008